【手続補正書】
【提出日】平成26年5月13日(2014.5.13)
【手続補正１】
【補正対象書類名】特許請求の範囲
【補正対象項目名】全文
【補正方法】変更
【補正の内容】
【特許請求の範囲】
【請求項１】
ポリマー分散剤組成物であって、
以下のモノマー基：
（ａ）構造式
【化１】
2013531603.tif 000001
［式中、Ｒ1及びＲ2のそれぞれは個々に水素原子又はメチル基を示し；Ｒ3は水素又は−（ＣＨ2）m（ＣＯ）nＯ（ＡＯ）pＸ1基を示し；ＡＯは２〜４個の炭素原子を有するオキシアルキレン基を示し；“ｍ”は０〜２の整数を示し；“ｎ”は０又は１の整数を示し；“ｐ”は加えられる全オキシアルキレン基の平均数を示し、５〜２００の整数であり；そしてＸ1はそれぞれ水素原子又はアルキル基を示す］
により示されるポリオキシアルキレンモノマー；
（ｂ）構造式
【化２】
2013531603.tif 000002
［式中、Ｒ4、Ｒ5及びＲ6のそれぞれは個々に、それぞれ水素原子、メチル基又は−（ＣＨ2）qＣ（Ｏ）ＯＭ1を示し；“ｑ”は０〜２の整数を示し；Ｍ1はそれぞれ水素原子、アルカリ金属又はアルカリ土類金属を示す］
により示されるアクリル酸モノマー；
（ｃ）構造式
【化３】
2013531603.tif 000003
［式中、Ｒ7は水素原子又はメチル基を示し；Ｒ8は２〜４個の炭素原子を有するアルキレン基を示し；“ｒ”は１〜３０の整数であり；Ｍ2はそれぞれ水素原子、アルカリ金属又はアルカリ土類金属を示す］
により示されるホスフェートモノエステルモノマーならびに
（ｄ）構造式
【化４】
2013531603.tif 000004
［式中、Ｒ9及びＲ11のそれぞれは個々に水素原子又はメチル基を示し；Ｒ10及びＲ12のそれぞれは個々に２〜４個の炭素原子を有するアルキレン基を示し；“ｓ”及び“ｔ”のそれぞれは個々に１〜３０の整数を示し；Ｍ3はそれぞれ水素原子、アルカリ金属又はアルカリ土類金属を示す］
により示されるホスフェートジエステルモノマー及び
（ｅ）構造式
【化５】
2013531603.tif 000005
［式中、Ｒ13、Ｒ15及びＲ17のそれぞれは個々に水素原子又はメチル基を示し；Ｒ14、Ｒ16及びＲ18はそれぞれ個々に２〜４個の炭素原子を有するアルキレン基を示し；“ｗ”、“ｘ”及び“ｙ”のそれぞれは個々に、それぞれ１〜３０の整数を示す］
により示されるホスフェートトリエステルモノマー
から作られるポリマーを含んでなり、且つ
ここで前記のモノマー（ａ）、（ｂ）、（ｃ）、（ｄ）及び（ｅ）は以下のモル比で存在し：
（ｉ）モノマー（ａ）＋（ｂ）対モノマー（ｃ）＋（ｄ）＋（ｅ）のモル比は９４〜９８／２〜６の範囲内であり；
（ｉｉ）モノマー（ａ）対モノマー（ｂ）のモル比は２０〜６０／４０〜８０の範囲内であり；
（ｉｉｉ）モノマー（ｃ）対モノマー（ｄ）＋（ｅ）のモル比は５０〜１００／０〜５０の範囲内であり；そして
（ｉｖ）モノマー（ｄ）及び（ｅ）対すべてのモノマー（ａ）〜（ｅ）のモル比は０〜２／９８〜１００の範囲内であり；
ここで与えられる範囲における分子の数及び分母の数の合計は１００となる
ポリマー分散剤組成物。
【請求項２】
モノマー成分（ａ）において、該ＡＯが２個の炭素原子を有するオキシアルキレン基を示し、該“ｐ”が５〜１００の整数である請求項１のポリマー分散剤組成物。
【請求項３】
モノマー成分（ｃ）において、該Ｒ8が２個の炭素原子を有するアルキレン基を示し、該“ｒ”が１〜５の整数である請求項１のポリマー分散剤組成物。
【請求項４】
モノマー成分（ｄ）において、該Ｒ10及びＲ12がそれぞれ個々に２個の炭素原子を有するアルキレン基を示し、該“ｓ”及び“ｔ”がそれぞれ個々に１〜５の整数を示す請求項１のポリマー分散剤組成物。
【請求項５】
モノマー成分（ｅ）において、該Ｒ14、Ｒ16及びＲ18のそれぞれが個々に２個の炭素原子を有するアルキレン基を示し、該“ｗ”、“ｘ”及び“ｙ”のそれぞれが個々に１〜５の整数を示す請求項１のポリマー分散剤組成物。
【請求項６】
水和性セメント系結合剤に請求項１のポリマー分散剤組成物を加えることを含んでなるセメント系組成物の改質方法。
【請求項７】
該モノマーを連鎖移動剤の存在下で共重合させる請求項６の方法。
【請求項８】
該連鎖移動剤を該モノマーに基づいて少なくとも３．５モルパーセントの量で用いる請求項７の方法。
【請求項９】
該モノマーを、該ポリマー分散剤組成物中の該モノマーすべての合計モル数に基づいて少なくとも２モルパーセントの量における重合開始剤の存在下で共重合させる請求項８の方法。
【請求項１０】
水和性セメント系結合剤及び請求項１のポリマー分散剤組成物を含んでなるセメント組成物。
【請求項１１】
ポリマー分散剤組成物であって、
以下のモノマー基：
（ａ）構造式
【化１】
2013531603.tif 000006
［式中、Ｒ1及びＲ2のそれぞれは個々に水素原子又はメチル基を示し；Ｒ3は水素又は−（ＣＨ2）m（ＣＯ）nＯ（ＡＯ）pＸ1基を示し；ＡＯは２個の炭素原子を有するオキシアルキレン基を示し；“ｍ”は０〜２の整数を示し；“ｎ”は０又は１の整数を示し；“ｐ”は加えられる全オキシアルキレン基の平均数を示し、５〜１００の整数であり；そしてＸ1はそれぞれ水素原子又はアルキル基を示す］
により示されるポリオキシアルキレンモノマー；
（ｂ）構造式
【化２】
2013531603.tif 000007
［式中、Ｒ4、Ｒ5及びＲ6のそれぞれは個々に、それぞれ水素原子、メチル基又は−（ＣＨ2）qＣ（Ｏ）ＯＭ1を示し；“ｑ”は０〜２の整数を示し；Ｍ1はそれぞれ水素原子、アルカリ金属又はアルカリ土類金属を示す］
により示されるアクリル酸モノマー；
（ｃ）構造式
【化３】
2013531603.tif 000008
［式中、Ｒ7は水素原子又はメチル基を示し；Ｒ8は２個の炭素原子を有するアルキレン基を示し；“ｒ”は１〜５の整数であり；Ｍ2はそれぞれ水素原子、アルカリ金属又はアルカリ土類金属を示す］
により示されるホスフェートモノエステルモノマーならびに
（ｄ）構造式
【化４】
2013531603.tif 000009
［式中、Ｒ9及びＲ11のそれぞれは個々に水素原子又はメチル基を示し；Ｒ10及びＲ12のそれぞれは個々に２個の炭素原子を有するアルキレン基を示し；“ｓ”及び“ｔ”のそれぞれは個々に１〜５の整数を示し；Ｍ3はそれぞれ水素原子、アルカリ金属又はアルカリ土類金属を示す］
により示されるホスフェートジエステルモノマー及び
（ｅ）構造式
【化５】
2013531603.tif 000010
［式中、Ｒ13、Ｒ15及びＲ17のそれぞれは個々に水素原子又はメチル基を示し；Ｒ14、Ｒ16及びＲ18はそれぞれ個々に２個の炭素原子を有するアルキレン基を示し；“ｗ”、“ｘ”及び“ｙ”のそれぞれは個々に、それぞれ１〜５の整数を示す］
により示されるホスフェートトリエステルモノマー
から作られるポリマーを含んでなり、且つ
ここで前記のモノマー（ａ）、（ｂ）、（ｃ）、（ｄ）及び（ｅ）は以下のモル比で存在し：
（ｉ）モノマー（ａ）＋（ｂ）対モノマー（ｃ）＋（ｄ）＋（ｅ）のモル比は９４〜９８／２〜６の範囲内であり；
（ｉｉ）モノマー（ａ）対モノマー（ｂ）のモル比は２０〜６０／４０〜８０の範囲内であり；
（ｉｉｉ）モノマー（ｃ）対モノマー（ｄ）＋（ｅ）のモル比は５０〜１００／０〜５０の範囲内であり；そして
（ｉｖ）モノマー（ｄ）及び（ｅ）対すべてのモノマー（ａ）〜（ｅ）のモル比は０〜２／９８〜１００の範囲内であり；
ここで与えられる範囲における分子の数及び分母の数の合計は１００となる
ポリマー分散剤組成物。